(57)【要約】【課題】構成を簡素化しつつ消費電力を少なくすることが可能な冷却庫を提供する。【解決手段】冷却庫１１は、蓄冷剤４７を収納可能な収納室１２と、電源ＥＡ側から電力の供給を受けて蓄冷剤４７の冷却に関して動作する冷却装置４５と、冷却装置４５を制御する制御回路２９と、タイマ３６に設定された時間で電源ＥＡ側から制御回路２９への電力の供給を遮断する第１遮断部３２Ｂとを備え、第１遮断部３２Ｂにより前記制御回路２９への電力の供給が遮断されると電源ＥＡ側から冷却装置４５への電力の供給を遮断する第２遮断部３７Ｂを備える。【選択図】図４
2014202373.tif 000002
【特許請求の範囲】
【請求項１】
冷却対象物を収納可能な収納室と、
電源側から電力の供給を受けて前記冷却対象物の冷却に関して動作する冷却装置と、
前記冷却装置を制御する制御回路と、
タイマに設定された時間で前記電源側から前記制御回路への電力の供給を遮断する第１遮断部と、を備え、
前記第１遮断部により前記制御回路への電力の供給が遮断されると前記電源側から前記冷却装置への電力の供給を遮断する第２遮断部を備える冷却庫。
【請求項２】
前記冷却装置を停止させる時間の設定操作が可能なタイマ装置を備え、
前記タイマは、前記タイマ装置に備えられている請求項１に記載の冷却庫。
【請求項３】
前記第１遮断部は、前記タイマ装置に備えられている請求項２に記載の冷却庫。
【請求項４】
前記冷却装置を動作させるための電子部品が収容されるケース本体と、前記ケース本体を覆い、かつ、前記ケース本体に対して取り外し可能に構成されたカバーとを備え
前記タイマ装置は、前記カバーに装着されている請求項２又は請求項３に記載の冷却庫。
【請求項５】
前記第１遮断部は、前記第２遮断部によって電力の供給が遮断される前記冷却装置とは異なる他の冷却装置について直接的に電力の供給を遮断する請求項１ないし請求項４のいずれか一項に記載の冷却庫。
【発明の詳細な説明】
【技術分野】
【０００１】
本発明は、冷却庫に関する。
【背景技術】
【０００２】
従来、食品等の要保冷物品の配送時の冷却、保冷には、凍結させた蓄冷剤が用いられている。このような蓄冷剤を凍結させるために用いられる冷却庫として、特許文献１に記載の蓄冷剤凍結庫が知られている。
この種の蓄冷剤凍結庫は、蓄冷剤を凍結させるために−２０℃〜−４０℃程度といった極低温に冷却するため、消費電力が大きいものになっている。
【０００３】
ここで、一般的に、蓄冷剤は、要保冷物品の配送時には庫外に出され、物品と一緒に梱包されているため、蓄冷剤凍結庫内に蓄冷剤（冷却対象物）が入っていない時間帯があり、このような蓄冷剤凍結庫内に蓄冷剤が入っていない時間帯に、冷却を行うことは、節電等の要請から好ましくない。
そこで、蓄冷剤が蓄冷剤凍結庫内に収納されていないときには、人為的にコンセントを抜いて通電を遮断すれば節電することができるが、コンセントを抜く作業の手間がかかるという問題がある。
【０００４】
特許文献２には、設定した時間に通電させることが可能なタイマー付きコンセント装置が記載されている。
このタイマー付きコンセント装置にプラグを接続するとともに、タイマー付きコンセントを電源に接続することで、設定した時間に装置の通電を遮断することができる。
【先行技術文献】
【特許文献】
【０００５】
【特許文献１】特開平１１−２６４６４５号公報
【特許文献２】特開２００５−８５６２４号公報
【発明の概要】
【発明が解決しようとする課題】
【０００６】
ところで、冷却庫の節電を図りつつ、作業の手間を少なくするために、特許文献２のようなタイマー付きコンセント装置を冷却庫に接続して、設定した時間に冷却庫の元電源を遮断することが考えられる。
しかしながら、タイマー付きコンセント装置により元電源を遮断する構成では、装置の使用電流が大きい場合には、使用電流に応じた許容電流を有する開閉器を設ける必要があり、装置の構成が大型化するという問題がある。
【０００７】
本発明は上記のような事情に基づいて完成されたものであって、構成を簡素化しつつ消費電力を少なくすることが可能な冷却庫を提供することを目的とする。
【課題を解決するための手段】
【０００８】
本発明の冷却庫は、冷却対象物を収納可能な収納室と、電源側から電力の供給を受けて前記冷却対象物の冷却に関して動作する冷却装置と、前記冷却装置を制御する制御回路と、タイマに設定された時間で前記電源側から前記制御回路への電力の供給を遮断する第１遮断部と、を備え、前記第１遮断部により前記制御回路への電力の供給が遮断されると前記電源側から前記冷却装置への電力の供給を遮断する第２遮断部を備える。
【０００９】
本構成によれば、第１遮断部により、タイマに設定された時間で制御回路への電力の供給が遮断されるとともに、第２遮断部により、冷却装置への電力の供給が遮断される。これにより、不要な時間の電力をタイマを用いて節電できるとともに、タイマに設定された時間で第１遮断部が比較的電流値の小さい制御回路の電力の供給を遮断すれば、比較的電流値が大きい冷却装置への電力の供給が遮断されるため、冷却装置の電力の供給を遮断するために大きな開閉器を用いなくてもよくなり、電源を遮断するための構成を簡素化することが可能になる。
よって、構成を簡素化しつつ消費電力を少なくすることが可能となる。
【００１０】
上記構成の実施態様として以下の構成を有すれば好ましい。
・前記冷却装置を停止させる時間の設定操作が可能なタイマ装置を備え、前記タイマは、前記タイマ装置に備えられている。
・前記第１遮断部は、前記タイマ装置に備えられている。
・前記冷却装置を動作させるための電子部品が収容されるケース本体と、前記ケース本体を覆い、かつ、前記ケース本体に対して取り外し可能に構成されたカバーとを備え、前記タイマ装置は、前記カバーに装着されている。
・前記第１遮断部は、前記第２遮断部によって電力の供給が遮断される前記冷却装置とは異なる他の冷却装置について直接的に電力の供給を遮断する。
【発明の効果】
【００１１】
本発明によれば、構成を簡素化しつつ消費電力を少なくすることが可能となる。
【図面の簡単な説明】
【００１２】
【図１】実施形態１の冷却庫を示す側断面図
【図２】機械室の内部を露出させた状態の冷却庫を示す斜視図
【図３】冷却庫の断熱扉を外した状態を示す正面図
【図４】冷却システムの電気的構成を概略的に示す図
【図５】制御部と冷却装置等との電気的構成を示す図
【図６】実施形態２のリレーボックスを示す分解斜視図
【図７】冷却庫の電気的構成を概略的に示す図
【発明を実施するための形態】
【００１３】
＜実施形態１＞
以下、実施形態１を図１ないし図５を参照しつつ説明する。以下では、図１の左方を前方、右方を後方として説明する。
本実施形態の冷却庫１１は、本発明の冷却庫の一例として蓄冷剤４７（「冷却対象物」の一例）を冷却して凍結させるための蓄冷剤凍結庫に適用したものである。実施形態１の冷却庫１１は、図４に示すように、予め設定した時間で冷却庫１１の動作や停止をさせるためのタイマ装置３５に接続されており、冷却庫１１とタイマ装置３５とで冷却システム１０を構成している。
【００１４】
冷却庫１１は、図１に示すように、蓄冷剤４７を収納可能な収納室１２と、収納室１２の上方に配され、蓄冷剤４７の冷却に関して動作する冷却装置４５が収容される機械室３４とを備える。
収納室１２は、前面開口の縦長の断熱箱体からなり、その内部には、長方形の４隅の位置に４本の棚柱１３が取り付けられており、各棚柱１３には、上下方向に間隔を空けて棚受金１４が装着されている。
【００１５】
４本の棚柱１３の内側に４枚の棚網１５が上下方向に一定間隔を開けて棚受金１４に支持されており、各棚網１５の上方に、蓄冷剤４７を収納する収納スペースを形成している。
蓄冷剤４７は、コンテナ４８内において左右に間隔を空けて複数収容される。（図３参照）。
蓄冷剤４７は、ポリエチレン等の合成樹脂製のハードケース内にゲル化剤が充填された公知のものであって、全体としては平面長方形の厚板形状をなしている。
収納室１２の前面開口部１７には上下２個の断熱扉４９が幅方向の一端側を軸として回動可能に支持されている。
【００１６】
前面開口部１７の周縁には、結露防止ヒータ３９（図４参照）が埋設されている。
図１に示すように、収納室１２の上方における機械室３４の下方に連なる位置には、冷却器１８が収容される冷却器室１９が設けられている。
冷却器室１９は、冷却器１８と収納室１２を仕切るダクトパネル２０を有する。
ダクトパネル２０は、ステンレス鋼板等の金属板からなり、水平方向に対して傾斜した方向に延びて固定されており、吸込口を有するとともに、庫内ファン２１が設けられている。
【００１７】
機械室３４は、圧縮機２２と、凝縮器２３と、凝縮器ファン２４と、制御回路２９がケース２８Ａに収容された制御ボックス２８（図２参照）と、冷却装置４５への通断電を行う複数のリレー３２，３７が収容されたリレーボックス３１とを備える。
圧縮機２２及び凝縮器２３と冷媒配管により冷却器１８が循環接続され、周知の冷凍サイクルが構成されている。
圧縮機２２、凝縮器２３、凝縮器ファン２４、冷却器１８、庫内ファン２１は、電源ＥＡ側から電力の供給を受けて蓄冷剤４７の冷却に関して動作する冷却装置４５とされる。
基本的な冷却運転は、冷却装置４５が駆動されることで行われ、吸込口を通して吸引された庫内空気が冷却器１８を通過する間に熱交換により冷気が生成され、この冷気が庫内ファン２１から収納室１２に吹き出されるといった循環流が生じ、蓄冷剤４７を冷却（凍結）される。本実施形態では、蓄冷剤４７を凍結するために、収納室１２内が−２０℃から−４０℃程度まで冷却される。
【００１８】
このように、庫内温度を−４０℃程度といった極低温域まで下げるためには、冷却器１８は相応の低温状態に維持される必要があり、着霜が生じやすいと言える。そのため適宜に霜取運転が行われ、冷却器１８の周囲に、シーズヒータからなる除霜ヒータ２６（図５）が装着されている。
制御ボックス２８のケース２８Ａは、正面側が樹脂で形成され、その後方が金属のカバーで覆われている。
機械室３４の前面を構成するフロントパネル３４Ａには、図３に示すように、操作パネル２７が設けられている。
操作パネル２７は、各種の設定を変更可能な設定ボタン４６と、設定された情報等を表示する表示部４０とを有する（図５参照）。
この操作パネル２７は、左右方向に長い角丸長方形状の孔３４Ｂ内に設けられている。操作パネル２７は、ケース２８Ａにおける正面側の樹脂部分が孔３４Ｂの内側に配されるとともに外側からラベルで覆われることで設定ボタン４６等を操作可能に構成される（なお、図２では、ケース２８Ａにおける正面の孔３４Ｂの内側に配される部分の図示は省略されている）。
リレーボックス３１は、ケース３１Ａ内に電源ＥＡから負荷に至る経路の電力の通断電を行う後述する複数のリレー３２，３７が収容されている。
【００１９】
図４に示すようにタイマ装置３５は、時間をカウントするタイマ３６を備え、冷却庫１１の第１コイル３２Ａとタイマ３６とが接続されており、タイマ３６は、設定された時間に第１コイル３２Ａの電流の通断電を制御する。
このタイマ３６は、冷却庫１１とは別体の独立した構成であって、電源ＥＡとは異なる他の電源ＥＢから電力の供給を受ける。本実施形態では、電源ＥＢは、単相交流の１００［Ｖ］とされているが、タイマ装置３５の構成に応じて他の電源（直流等）を用いてもよい。
時間の設定は、タイマ３６の表面に設けられた操作部（図示しない）の操作により行うことができる。タイマ装置３５は、第１遮断部３２Ｂを開閉する時間を設定できるのであれば、種々の公知のタイマを用いることができる。
【００２０】
次に、冷却庫１１の電気的構成について説明する。
図４に示すように、冷却庫１１は、外部の電源ＥＡから電力の供給を受ける制御回路２９と圧縮機２２と結露防止ヒータ３９とが並列に接続されている。
制御回路２９には、接点としての第１遮断部３２Ｂが直列に接続されるとともに、庫内ファン２１が並列に接続されている。
第１遮断部３２Ｂは、リレーボックス３１内の回路に実装された第１リレー３２の内部に第１コイル３２Ａとともに備えられている。
第１コイル３２Ａは、冷却庫１１の外部のタイマ３６に接続されており、タイマ３６の設定に応じて通断電し、第１遮断部３２Ｂの接点をオンオフする。
第１コイル３２Ａが通電すると、第１遮断部３２Ｂの接点が閉じて制御回路２９及び庫内ファン２１に電力が供給され、第１コイル３２Ａが通電がオフされると、第１遮断部３２Ｂの接点が開放されて制御回路２９及び庫内ファン２１への電力の供給が停止される。
第１リレー３２は、種々の公知のものを用いることが可能であり、メカニカルリレーと半導体リレーのいずれを用いてもよい。この第１リレー３２は、制御回路２９等の比較的通電電流が小さい経路の通断電を行うため、後述する第２リレーと比較して遮断容量が小さいものを用いることができる。
圧縮機２２には、接点としての第２遮断部３７Ｂが直列に接続されているとともに、凝縮器ファン２４が並列に接続されている。
【００２１】
第２遮断部３７Ｂは、リレーボックス３１内の回路に実装された第２リレー３７の内部に第２コイル３７Ａとともに備えられている。
第２コイル３７Ａは、制御回路２９に接続されている（図４では、第２コイル３７Ａが、リレーボックス３１内に配された第２リレー３７内に第２遮断部３７Ｂとともにあることを破線で示している）。
第２コイル３７Ａは、第１遮断部３２Ｂを介して制御回路２９に供給された電流が分流することで通電可能となっている。
この第２リレー３７は、いわゆるノーマリオープンであって、第２コイル３７Ａが通電していないときは接点が開放されており、第２コイル３７Ａが通電すると、接点を閉じる。
これにより、第１遮断部３２Ｂの接点が開放されて、制御回路２９への電力の供給（通電）が遮断されると、制御回路２９に接続されたコイル３７Ａにも通電されなくなり、第２遮断部３７Ｂの接点が開放された状態となり、圧縮機２２及び凝縮器ファン２４への電力の供給が遮断される。
【００２２】
なお、圧縮機２２には、電源ＥＡから三相交流の２００［Ｖ］が供給され、制御回路２９，庫内ファン２１及び結露防止ヒータ３９には、図示しない変換部で変換された単相交流の１００［Ｖ］が供給され、制御回路２９では更に図示しない整流回路で直流に変換された電流が供給されている。
【００２３】
制御回路２９（制御基板）は、回路基板と、この回路基板に実装されたマイクロコンピュータ等の複数の電子部品とから構成され、図５に示すように、所定のプログラムを実行して冷却装置４５の動作を制御する制御部３０を有する。
制御部３０の入力側には、操作パネル２７の設定ボタン４６（設定手段）が接続されている。制御部３０の出力側には、圧縮機２２、凝縮器ファン２４、庫内ファン２１等の冷却装置４５と、除霜ヒータ２６と、結露防止ヒータ３９と、表示部４０とが接続されている。
【００２４】
制御部３０は、冷却装置制御部４１と、霜取制御部４２と、ヒータ制御部４３と、記憶部４４とを有する。
冷却装置制御部４１は、冷却装置４５の運転を制御する。通常の冷却運転中は、冷却装置制御部４１によって、圧縮機２２と凝縮器ファン２４と庫内ファン２１が制御され、設定温度近傍に庫内温度が維持される。
【００２５】
霜取制御部４２は、除霜ヒータ２６のオンオフを制御しており、霜取開始時刻となると、除霜ヒータ２６をオンにする。霜取制御部４２は、冷却器１８の除霜が終了した等の霜取終了条件が満たされると、除霜ヒータ２６をオフにする。
ヒータ制御部４３は、結露防止ヒータ３９のオンオフを制御しており、制御部３０は、表示部４０等のオンオフ等を制御する。
【００２６】
次に、冷却庫１１の動作について説明する。
タイマ装置３５にて、毎日蓄冷剤４７が庫外に持ち出され運転を停止させる時刻を運転停止時刻として設定し、冷却を開始する時刻を作動開始時刻として設定する。なお、蓄冷剤４７の冷却を開始する前に霜取を開始する時刻を作動開始時刻として設定してもよい。
運転停止時刻と作動開始時刻の間は、運転不要時間であって、蓄冷剤４７が収納室１２内に収納されていない時間帯である。
【００２７】
蓄冷剤４７が収納室１２内に収納されて、設定された作動開始時刻になると、タイマ３６が第１リレー３２の第１コイル３２Ａを通電して第１遮断部３２Ｂの接点間を閉じ、制御回路２９及び庫内ファン２１に電源ＥＡから電力が供給される。
制御回路２９に電力が供給されることで、第２リレー３７のコイル３７Ａが通電されて第２遮断部３７Ｂの接点間を閉じ、圧縮機２２及び凝縮器ファン２４に電源ＥＡから電力が供給される。
これにより、圧縮機２２と凝縮器ファン２４が稼働して、冷却器１８で冷気が生成され、生成された冷気を庫内ファン２１が収納室１２内に吹き出すことで、冷却運転が行われる。庫内温度が設定温度近傍になると圧縮機２２と凝縮器ファン２４がオンとオフを繰り返すことで、庫内温度を設定温度近傍に保持し、庫内ファン２１が運転し続けることで、庫内の冷気の循環を行う。この間、結露防止ヒータ３９はオンにされ、断熱扉４９と前面開口部１７とが当接する面の結露と凍結を防いでいる。また、表示部４０では庫内温度等が適宜表示されている。
【００２８】
そして、蓄冷剤４７が庫外に出され、設定された運転停止時刻になると、タイマ３６は、第１リレー３２の第１コイル３２Ａの通電を遮断して第１遮断部３２Ｂの接点間を開放し、電源ＥＡから制御回路２９及び庫内ファン２１への電力の供給を遮断する。
制御回路２９への電力の供給が遮断されると、第２リレー３７のコイル３７Ａへの通電が遮断されて第２遮断部３７Ｂの接点間が開放され、電源ＥＡから圧縮機２２及び凝縮器ファン２４への電力の供給が遮断される。
これにより、圧縮機２２と凝縮器ファン２４と庫内ファン２１等の冷却装置４５の運転が停止され、結露防止ヒータ３９や表示部４０等も停止され、冷却庫１１への電力供給は行われているものの制御部３０以外が停止しているため、見かけ上電源ＥＡが入っていないスタンバイ状態にされ、消費電力が少なくなる。
【００２９】
本実施形態によれば、以下の作用・効果を奏する。
冷却庫１１は、蓄冷剤４７（冷却対象物）を収納可能な収納室１２と、電源ＥＡ側から電力の供給を受けて蓄冷剤４７の冷却に関して動作する冷却装置４５と、冷却装置４５を制御する制御回路２９と、タイマ３６に設定された時間で電源ＥＡ側から制御回路２９への電力の供給を遮断する第１遮断部３２Ｂと、を備え、第１遮断部３２Ｂにより制御回路２９への電力の供給が遮断されると電源ＥＡ側から冷却装置４５への電力の供給を遮断する第２遮断部３７Ｂを備える。
本実施形態によれば、第１遮断部３２Ｂにより、タイマ３６に設定された時間で制御回路２９への電力の供給が遮断されるとともに、第２遮断部３７Ｂにより、冷却装置４５への電力の供給が遮断される。これにより、不要な時間の電力をタイマ３６を用いて節電できるとともに、タイマ３６に設定された時間で第１遮断部３２Ｂが比較的電流値の小さい制御回路２９の電力の供給を遮断すれば、比較的電流値が大きい冷却装置４５への電力の供給が遮断されるため、冷却装置４５の電力の供給を遮断するために大きな開閉器を用いなくてもよくなり、電源ＥＡを遮断するための構成を簡素化することが可能になる。
よって、構成を簡素化しつつ消費電力を少なくすることが可能となる。
【００３０】
また、第１遮断部３２Ｂは、第２遮断部３７Ｂによって電力の供給が遮断される圧縮機２２（冷却装置）とは異なる庫内ファン２１（他の冷却装置）について直接的に電力の供給を遮断する。
これにより、比較的通電電流が小さい庫内ファン２１について第１遮断部３２Ｂにより直接的に動作を停止させることができる。
【００３１】
＜実施形態２＞
次に、本発明の実施形態２を図６，図７を参照しつつ説明する。実施形態１では、冷却庫１１とは別体のタイマ装置３５が電源ＥＡとは異なる電源ＥＢの供給を受けて第１遮断部３２Ｂの通電を遮断していたが、実施形態２では、冷却庫５０と一体的に設けられてたタイマ装置５７が冷却庫５０の電源ＥＡから電力の供給を受けるものである。その他の構成は、概ね実施形態１と同一であり、以下では、実施形態１と同一の構成には同一の符号を付して説明を省略する。
【００３２】
リレーボックス５１は、図６に示すように、電源ＥＡからの電力の通断電を行うための複数のリレー３７，５８（図７参照）等の冷却装置４５を動作させるための部品がケース５１Ａに収容されている。
ケース５１Ａは、金属製であって、ケース本体５２と、ケース本体５２を覆うカバー５６とを備え、カバー５６には、タイマ装置５７が取り付けられている。
ケース本体５２は、電源ＥＡに連なる電線Ｗ１，Ｗ２の端末部が固定される奥壁５３と、奥壁５３の左右の両端部から奥壁５３と直交する方向に延びる一対の側壁５２Ａ，５２Ａとを備える。
【００３３】
奥壁５３には、複数のコネクタ装着孔５３Ａが設けられており、電源ＥＡ側からの電力を供給する三相２００[Ｖ]の電線Ｗ１の端末部に取付けられた電源側コネクタ５４と、電源ＥＡ側からの電力を供給する単相１００[Ｖ]の電線Ｗ２の端末部に取付けられた電源側コネクタ５５とが取付けられて固定される。
カバー５６は、Ｌ字形であって、前壁５６Ａと天井壁５６Ｂ（図６では天井壁５６Ｂの一部のみを図示して他は省略）とを有し、ケース本体５２に対してネジ６３により前壁５６Ａ側からネジ留めして固定されており、ネジ６３を外せばカバー５６をケース本体５２から取り外すことができる。
【００３４】
タイマ装置５７は、その外面が箱形の合成樹脂製の収容部材５７Ａで覆われており、図７に示すように、時間をカウントするタイマ３６と、電源ＥＡから制御回路２９に至る導電路の通断電を行う第１リレー５８とを備える。
第１リレー５８は、第１コイル５８Ａと、電源ＥＡから制御回路２９に至る導電路に直列に接続された第１遮断部５８Ｂとを備える。
タイマ３６は、第１コイル５８Ａを通電して接点としての第１遮断部５８Ｂのオンオフを制御する。
【００３５】
収容部材５７Ａには、電源ＥＡからタイマ３６に電力が供給される経路に接続される電源入出力端子５９Ａ，５９Ｂと、電源ＥＡから制御回路２９に至る経路に第１遮断部５８Ｂを直列に接続する接点部入出力端子６０Ａ，６０Ｂとが設けられている。
電源入出力端子５９Ａ，５９Ｂは、中継電線Ｗ３の一端側に接続される（図６参照）。中継電線Ｗ３の他端側は、給電コネクタ６１を介して電源側コネクタ５５に接続される。
電線Ｗ１〜Ｗ３は、弾性変形可能なＵ字状の結束具で適宜結束される。
接点部入出力端子６０Ａ，６０Ｂは、図６に示すように、中継電線Ｗ３の一端側が接続され、この中継電線Ｗ３の他端側は、中継コネクタ６２を介して制御回路２９に接続される。
【００３６】
タイマ３６は、冷却装置４５をオフするために設定された時間になると、第１コイル５８Ａの通電をオフすることで、第１遮断部５８Ｂの接点を開放して制御回路２９及び庫内ファン２１への電力の供給を遮断する。
制御回路２９への電力の供給が遮断されると、第２リレー３７における制御回路２９の分流電流が供給される第２コイル３７Ａへの通電が遮断されて第２遮断部３７Ｂの接点間が開放されることにより、電源ＥＡから圧縮機２２及び凝縮器ファン２４への電力の供給が遮断される。
時間の設定は、タイマ装置５７の表面に設けられてカバー５６の前面から露出する操作部（図示しない）の操作により行うことができる。
なお、タイマ装置５７が取り付けられたカバー５６は、タイマ装置５７が取り付けられていない図示しないカバー（カバー５６と同じ形状）に交換可能に構成してもよい。
【００３７】
実施形態２によれば、冷却装置４５を停止させる時間の設定操作が可能なタイマ装置５７を備え、タイマ３６は、タイマ装置５７に備えられているため、冷却庫５０の構成を簡素化できるとともに、冷却庫５０の電源でタイマ装置３５を給電することができるため、タイマ装置３５のための専用の給電手段を用意する必要がなくなる。
また、第１遮断部５８Ｂは、タイマ装置５７に備えられているため、冷却庫５０における第１遮断部５８Ｂをオンオフするための構成を簡素化することができる。
【００３８】
＜他の実施形態＞
本発明は上記記述及び図面によって説明した実施形態に限定されるものではなく、例えば次のような実施形態も本発明の技術的範囲に含まれる。
（１）上記実施形態では、冷却庫１１，５０は、蓄冷剤凍結庫であるとしたが、これに限られず、他の冷却庫に本発明を適用してもよい。例えば、不要時に運転を停止させた期間に庫内温度が上昇しても問題とならない他の冷却庫や、運転停止中に冷却庫内が空になるような保存庫、空調機器に本発明を適用することができる。
（２）上記実施形態では、結露防止ヒータ３９は、第１遮断部３２Ｂと並列に接続したが、結露防止ヒータ３９を第１遮断部３２Ｂと直列に接続するとともに、制御回路２９及び庫内ファン２１と並列に接続してもよい。この結露防止ヒータ３９が接続される位置を、製品を停止させたときの結露の可否や庫内の収容物の温度等に応じて選択すれば、好適な結露の防止を行うことができる。
（３）上記実施形態では、運転停止時間を時刻で設定するようにしたが、運転開始後の経過時間（間隔）で設定してもよい。
【符号の説明】
【００３９】
１１，５０...冷却庫  １２...収納室  １８...冷却器  ２１...庫内ファン  ２２...圧縮機  ２４...凝縮器ファン  ２０...制御回路  ３２，５８...第１リレー  ３２Ｂ，５８Ｂ...第１遮断部  ３５，５７...タイマ装置  ３６...タイマ  ３７...第２リレー  ３７Ｂ...第２遮断部  ４５...冷却装置  ４７... 蓄冷剤（冷却対象物）  ＥＡ，ＥＢ...電源
【図１】
2014202373.tif 000003
【図２】
2014202373.tif 000004
【図３】
2014202373.tif 000005
【図４】
2014202373.tif 000006
【図５】
2014202373.tif 000007
【図６】
2014202373.tif 000008
【図７】
2014202373.tif 000009